(57)【特許請求の範囲】
【請求項１】
ケースと、
プリント基板と、
絶縁シートとを備え、
前記ケースは、開口部を有する箱形状に形成され、
前記プリント基板は、少なくとも一面に複数の部品が実装され、前記一面が前記ケースの前記開口部を臨むように前記ケースの内部に収容され、
前記絶縁シートは、シート本体と、前記シート本体の一面から突出する突出部とを有し、前記突出部の先端が前記ケースに収容された前記プリント基板の前記一面に対向するように配置され、
前記突出部は、前記絶縁シートが前記プリント基板に対して所望の位置に配置された場合、前記ケースに収容された前記プリント基板の前記複数の部品の何れにも接触しないように形成され、前記絶縁シートの全体が前記ケースの内部に収容され、
前記突出部は、前記絶縁シートが前記プリント基板に対して前記所望の位置に配置されていない場合、前記複数の部品の何れかに接触するように形成され、前記絶縁シートの一部が前記ケースの内部に収容されている
ことを特徴とする電源装置。
【請求項２】
前記突出部は、中空かつ先端面が曲面に形成されている
ことを特徴とする請求項１に記載の電源装置。
【請求項３】
前記突出部の外観は、先端に近づくにつれて細くなる形状に形成されている
ことを特徴とする請求項１または２に記載の電源装置。
【請求項４】
請求項１〜３の何れか一項に記載の電源装置と、前記電源装置によって電力が供給される光源とを備える
ことを特徴とする光源ユニット。
【請求項５】
請求項４に記載の光源ユニットと、前記光源ユニットを収容する器具本体とを備える
ことを特徴とする照明器具。
【発明の詳細な説明】
【技術分野】
【０００１】
本発明は、電源装置、光源ユニット、および照明器具に関する。より詳細には、電力を供給する電源装置と、電源装置を備える光源ユニットと、光源ユニットを収容する照明器具に関する。
【背景技術】
【０００２】
従来例として、特許文献１に記載の電気部品収納ケースを例示する。特許文献１に記載の電気部品収納ケースは、電気部品を搭載したプリント基板および上部絶縁シートを収納するケース本体と、ケース本体に係合するケース蓋とを備える。上部絶縁シートは、プリント基板とケース蓋との間に配置される。ケース蓋には、ケース内側に水平方向に折り曲げられて形成される切欠き片を有する。切欠き片には、上部絶縁シートが搭載されている。
【先行技術文献】
【特許文献】
【０００３】
【特許文献１】特開２０００−５９０４１号公報
【発明の概要】
【発明が解決しようとする課題】
【０００４】
ところで、特許文献１に記載の上部絶縁シートは、例えば平面視が非対称に形成されている場合がある。このような場合、上部絶縁シートと、ケース蓋との間の絶縁性を確保するために上部絶縁シートを正しい向きに電気部品収納ケースの内部に配置する必要がある。しかしながら、作業者が、上部絶縁シートを電気部品収納ケースの内部に配置する際、間違った向きで電気部品収納ケースの内部に配置してしまっても気づかない可能性がある。
【０００５】
本発明は、上記事由に鑑みてなされており、絶縁シートが間違った向きで配置されることを抑制することができる電源装置、光源ユニット、および照明器具を提供することを目的とする。
【課題を解決するための手段】
【０００６】
本発明の電源装置は、ケースと、プリント基板と、絶縁シートとを備える。前記ケースは、開口部を有する箱形状に形成される。前記プリント基板は、少なくとも一面に複数の部品が実装され、前記一面が前記ケースの前記開口部を臨むように前記ケースの内部に収容される。前記絶縁シートは、シート本体と、前記シート本体の一面から突出する突出部とを有し、前記突出部の先端が前記ケースに収容された前記プリント基板の前記一面に対向するように配置される。前記突出部は、前記絶縁シートが前記プリント基板に対して所望の位置に配置された場合、前記ケースに収容された前記プリント基板の前記複数の部品の何れにも接触しないように形成され、前記絶縁シートの全体が前記ケースの内部に収容される。前記突出部は、前記絶縁シートが前記プリント基板に対して前記所望の位置に配置されていない場合、前記複数の部品の何れかに接触するように形成され、前記絶縁シートの一部が前記ケースの内部に収容されている。
【０００７】
本発明の光源ユニットは、上述の電源装置と、前記電源装置によって電力が供給される光源とを備える。
【０００８】
本発明の照明器具は、上述の光源ユニットと、前記光源ユニットを収容する器具本体とを備える。
【発明の効果】
【０００９】
本発明の電源装置、光源ユニット、および照明器具は、絶縁シートが間違った向きで配置されることを抑制することができるという効果がある。
【図面の簡単な説明】
【００１０】
【図１】図１は本発明の一実施形態に係る照明器具を示す分解斜視図である。
【図２】図２は同上の光源ユニットを示す側面断面図である。
【図３】図３は同上の光源ユニットの要部を示す底面図である。
【図４】図４は同上の光源ユニットを示す平面図である。
【図５】図５は同上の電源回路を示す分解斜視図である。
【図６】図６は同上の電源回路を示す回路構成図である。
【図７】図７は同上の電源装置を示す側面図である。
【図８】図８は同上の電源装置を示す底面図である。
【図９】図９は同上の絶縁シートを示す三面図であり、図９Ａは正面図、図９Ｂは底面図、図９Ｃは側面図である。
【図１０】図１０は同上の電源装置の別の状態を示す側面図である。
【図１１】図１１は同上の絶縁シートの別の例を示す三面図であり、図１１Ａは正面図、図１１Ｂは底面図、図１１Ｃは側面図である。
【図１２】図１２は同上の変形例の絶縁シートを示す三面図であり、図１２Ａは正面図、図１２Ｂは底面図、図１２Ｃは側面図である。
【図１３】図１３は同上の変形例の電源装置を示す側面図である。
【図１４】図１４は同上の変形例の電源装置の別の状態を示す側面図である。
【発明を実施するための形態】
【００１１】
以下、本発明の実施形態に係る電源装置５、光源ユニット１、および照明器具１０について、図面を参照にして詳細に説明する。
【００１２】
本実施形態の電源装置５は、図１に示すように、光源に電力を供給する電源装置である。さらに、本実施形態の光源ユニット１は、照明器具１０に用いられる光源ユニットである。本実施形態の照明器具１０は、複数の固体発光素子（光源）３２を使用し、天井材に取り付けられる照明器具である。
【００１３】
なお、以下に説明する構成は、本発明の一例に過ぎず、本発明の下記の実施形態に限定されることなく、この実施形態以外であっても、本発明に係る技術思想を逸脱しない範囲であれば、設計等に応じて種々の変更が可能である。なお、以下の説明で特に断りが無い限り、図１に示す向きにおいて、上下、左右、および前後方向を規定する。
【００１４】
本実施形態の照明器具１０は、図１に示すように、ボルトを用いて天井材に取り付けられる器具本体２と、器具本体２に着脱自在に取り付けられる光源ユニット１とを備える。
【００１５】
器具本体２は、板金に曲げ加工を施すことで、長尺かつ天井材に対向する側に開口を有する箱形状に形成される。器具本体２において、天井材と反対側（下側）には、光源ユニット１を収容するための矩形の凹部２１が器具本体２の長手方向（左右方向）に沿って、かつ器具本体２の全長に亘って形成されている。器具本体２は、凹部２１の短手方向（前後方向）に離れるにつれて上側に傾斜する一対の傾斜面２２がそれぞれ形成されている。
【００１６】
また、凹部２１の底面２１１には、電源線を通すための孔２１１ａが器具本体２の長手方向の中心に設けられている。さらに、凹部２１の底面２１１には、吊りボルトを通すための２つの孔２１１ｂが形成されている。２つの孔２１１ｂのそれぞれは、器具本体２の長手方向の両端のそれぞれと、器具本体２の中心との間に形成されている。
【００１７】
さらに、器具本体２の長手方向の両端には、エンドキャップ２３がそれぞれ取り付けられている。
【００１８】
光源ユニット１は、光源モジュール３と、取付部材４と、電源装置５と、端子台ブロック６と、カバー７とを備える。
【００１９】
光源モジュール３は、長尺な矩形板状に形成されるプリント配線板３１と、プリント配線板３１の一面（下面）にプリント配線板３１の長手方向（左右方向）に沿って実装される複数のＬＥＤ３２とを有する。プリント配線板３１の長手方向の両端には、長手方向に沿って複数の矩形の切欠き３１２が形成されている。複数の切欠き３１２は、後述する取付部材４に形成されるかしめ部４３に対応する位置に形成されている。
【００２０】
取付部材４は、図２に示すように、長尺な板金に曲げ加工を施すことで、長手方向（左右方向）から見て、Ｕ字形状に形成されている。取付部材４は、矩形板状に形成されている底面部４１と、底面部４１の短手方向（前後方向）の両端から上向きに延出する一対の側面部４２とを有する。底面部４１の短手方向の中央には、光源モジュール３を収容するための矩形の凹部４１１が底面部４１の長手方向（左右方向）に沿ってかつ全長に亘って形成されている（図１参照）。また、側面部４２のそれぞれは、先端に、底面部４１の短手方向に互いに離れる向き（外向き）に円弧形状に折り曲げられて形成される一対の先端部４２１を有する。一対の先端部４２１のそれぞれは、取付部材４の長手方向に沿ってかつ全長に亘って形成されている。
【００２１】
取付部材４は、図１に示すように、複数のかしめ部４３をさらに有する。複数のかしめ部４３のそれぞれは、凹部４１１の前後方向の両端において、凹部４１１の一部が切り起されることで形成される。複数のかしめ部４３のそれぞれは、図３に示すように、光源モジュール３を取付部材４に取り付ける際に、光源モジュール３の切欠き３１２と一対一に対応するように位置決めされる。複数のかしめ部４３のそれぞれが取付部材４の短手方向の内側に折り曲げられることで、取付部材４は、光源モジュール３を保持する。
【００２２】
取付部材４の上面には、図４に示すように、引掛け金具９１が取り付けられている。引掛け金具９１は、板金に曲げ加工を施すことで、上下方向に沿って階段形状に形成され、下段９１１および上段９１２を備える（図２参照）。引掛け金具９１の下段９１１は、図２に示すように、取付部材４の上面に取り付けられる。引掛け金具９１の上段９１２の先端９１３は、下向きに折り曲げられて形成されている。さらに、取付部材４の上面には、線ばねをコイル状に巻き回して形成された係止ばね９２が取り付けられている。また、取付部材４は、図４に示すように、電源装置５から導出されたケーブル８２を通すための孔４４を備える。
【００２３】
電源装置５は、図５に示すように、プリント基板５１と、ケース５２と、絶縁シート５３とを備える。
【００２４】
プリント基板５１は、プリント配線板５１１と、複数の回路部品５１２と、第１コネクタ５１３と、第２コネクタ５１４とを有する。
【００２５】
プリント配線板５１１は、左右方向に長尺な矩形板状に形成される。複数の回路部品５１２、第１コネクタ５１３、および第２コネクタ５１４は、プリント配線板５１１の部品面（一面）５１１ａに実装される。第１コネクタ５１３には、電源ケーブル８１が接続される。第２コネクタ５１４には、ケーブル８２の一端が接続される。
【００２６】
電源装置５には、電源ケーブル８１を介して商用電源５００から交流電圧が供給される（図４参照）。電源装置５は、第２コネクタ５１４に接続されたケーブル８２を介して、光源モジュール３に直流電圧を供給する。
【００２７】
プリント基板５１は、図６に示す商用電源５００からの交流電圧を直流電圧に変換して、複数のＬＥＤ３２に直流電圧を供給して点灯させる電源回路５０を構成している。電源回路５０は、整流回路５０１と、平滑回路５０２と、降圧チョッパ回路５０３と制御回路５０４と、負荷電流検出部５０５とを有する。
【００２８】
整流回路５０１は、第３コンデンサＣ３とダイオードブリッジＤＢ１とで構成されている。第３コンデンサＣ３およびダイオードブリッジＤＢ１のそれぞれは、回路部品５１２である。第３コンデンサＣ３の両端およびダイオードブリッジＤＢ１の入力側のそれぞれは、交流電源（商用電源）５００の両極間に第１コネクタ５１３を介して電気的に接続されている。ダイオードブリッジＤＢ１は、入力された交流電圧を全波整流する。
【００２９】
平滑回路５０２は、第１ダイオードＤ１と、第２ダイオードＤ２と、第３ダイオードＤ３と、第１コンデンサＣ１と、第２コンデンサＣ２とで構成されている。第１ダイオードＤ１、第２ダイオードＤ２、第３ダイオードＤ３、第１コンデンサＣ１、および第２コンデンサＣ２は、回路部品５１２である。第１コンデンサＣ１の正極は、整流回路５０１の出力の正極側に電気的に接続されている。第１コンデンサＣ１の負極は、第２ダイオードＤ２のアノードと電気的に接続されている。第２ダイオードＤ２のカソードは、第２コンデンサＣ２の正極に電気的に接続されている。第２コンデンサＣ２の負極は、整流回路５０１の出力の負極側に電気的に接続されている。言い換えると、第１コンデンサＣ１と第２ダイオードＤ２と第２コンデンサＣ２とで構成される直列回路は、整流回路５０１の出力端間に電気的に接続されている。
【００３０】
第１ダイオードＤ１のカソードは、第１コンデンサＣ１の負極に電気的に接続されている。第１ダイオードＤ１のアノードは、整流回路５０１の出力の負極側に電気的に接続されている。第３ダイオードＤ３のカソードは、整流回路５０１の出力の正極側に電気的に接続されている。第３ダイオードＤ３のアノードは、第２コンデンサＣ２の正極に電気的に接続されている。
【００３１】
平滑回路５０２は、整流回路５０１で整流された電圧を第１コンデンサＣ１および第２コンデンサＣ２とで分圧して出力する。例えば、第１コンデンサＣ１および第２コンデンサＣ２が同じ容量のコンデンサの場合、平滑回路５０２は、整流回路５０１から出力された電圧を平滑し２分の１に分圧して出力する。
【００３２】
降圧チョッパ回路５０３は、第４ダイオードＤ４、第４コンデンサＣ４と、スイッチング素子Ｑ１と、トランスＴ１とで構成されている。第４ダイオードＤ４、第４コンデンサＣ４、スイッチング素子Ｑ１、およびトランスＴ１のそれぞれは、回路部品５１２である。スイッチング素子Ｑ１は、Ｎチャネル型のパワーＭＯＳＦＥＴ（Metal-Oxide-Semiconductor Field-Effect Transistor）である。第４ダイオードＤ４のカソードは、平滑回路５０２の出力の正極側に電気的に接続されている。第４コンデンサＣ４の一端は、平滑回路５０２の出力側に電気的に接続されている。第４ダイオードＤ４のアノードは、スイッチング素子Ｑ１のドレインと電気的に接続されている。スイッチング素子Ｑ１のソースは、平滑回路５０２の出力の負極側に電気的に接続されている。トランスＴ１の一次巻線Ｌ１は、第４ダイオードＤ４のアノードと第４コンデンサＣ４の他端との間に電気的に接続されている。トランスＴ１の二次巻線Ｌ２の一端は、平滑回路５０２の出力の負極に電気的に接続される。トランスＴ１の二次巻線Ｌ２の他端は、制御回路５０４に電気的に接続されている。
【００３３】
降圧チョッパ回路５０３は、平滑回路５０２から出力された電圧を複数のＬＥＤ３２を点灯するための適した電圧に降圧する。複数のＬＥＤ３２で構成される直列回路は、第４コンデンサＣ４の両端間に第２コネクタ５１４を介して電気的に接続されている。
【００３４】
制御回路５０４は、マイコンなどの回路部品５１２によって構成される。制御回路５０４は、スイッチング素子Ｑ１のゲートと、電気的に接続されている。制御回路５０４は、調光信号などに基づいて、スイッチング素子Ｑ１をオンオフ制御することでＬＥＤ３２の調光レベルを調整する。
【００３５】
負荷電流検出部５０５は、シャント抵抗など回路部品５１２によって構成され、ＬＥＤ３２に流れる電流を測定信号として制御回路５０４に出力する。
【００３６】
ケース５２は、図５に示すように、金属によって形成され、左右方向に長尺な底壁５２１と、底壁５２１の外周縁から下方向に向かって延出する側壁と５２２と、開口部５２３とを有し、矩形箱状に形成される。ケース５２は、図２に示すように、左側の側壁５２２に、電源ケーブル８１が通る開口５２６が形成されている。開口５２６は、プリント基板５１がケース５２の内部に収容された場合、プリント基板５１の第１コネクタ５１３の端子部がケース５２の外側から臨むことができる位置に形成されている。
【００３７】
ケース５２は、図７および図８に示すように、前後方向の側壁５２２にプリント基板５１を保持する３つの保持片５２４（図７参照）と、３つの保持片５２４と一対一で対応する３つの係止片５２５（図８参照）とを有する。より詳細には、３つの保持片５２４のうち１つの保持片５２４は後側の側壁５２２の右端側に形成され、残りの２つの保持片５２４のそれぞれは、前側の側壁５２２であって、左右方向の両端側のそれぞれに形成されている。３つの保持片５２４は、側壁５２２の一部がケース５２内側に切り起こされて形成される。３つの係止片５２５のそれぞれは、対応する３つの保持片５２４のそれぞれの下側に、側壁５２２の一部が切り起されて形成される。
【００３８】
ところで、プリント基板５１は、図５に示すように、部品面５１１ａが開口部５２３から臨むようにして、ケース５２の内部に収容される。このとき、プリント基板５１は、図７及び図８に示すように、３つの保持片５２４と３つの係止片５２５との間に挟まれてケース５２に固定される。つまり、３つの保持片５２４は、プリント基板５１が上向きに移動することを規制する。さらに、３つの係止片５２５は、ケース５２の内側に向かって折り曲げられることで、プリント基板５１が下向きに移動することを規制する。プリント基板５１がケース５２の内側に上述のように固定されることで、プリント基板５１とケース５２の底壁５２１との間に空間が設けられる。プリント基板５１とケース５２の底壁５２１との間に空間が設けられることで、プリント基板５１の絶縁性が確保される。
【００３９】
絶縁シート５３は、図５に示すように、樹脂などの材料によって形成され、左右方向に長尺な矩形のシート本体５３１と、シート本体５３１の前後方向の両端から上向きに突出する一対の側部５３２とを有する。絶縁シート５３のシート本体５３１は、図９Ａ、図９Ｂ、および図９Ｃに示すように、前側の右端に切り欠けられて形成される切り欠け５３３と、左側かつ後側に矩形の開口部５３４と、右側かつ前側に半円弧形状に切り起された切起し片５３５と、突出部５３６とを有する。突出部５３６は、エンボス加工によって、上方向に突出し、有底の円筒形状に形成される。突出部５３６は、シート本体５３１の一端側（右端側）に形成される。
【００４０】
絶縁シート５３は、図７に示すように、プリント基板５１の部品面５１１ａと絶縁シート５３のシート本体５３１とが互いに向かい合うようにして、ケース５２の内部に収容される。このとき、絶縁シート５３は、一対の側部５３２が上向きになるようにケース５２の内部に収容される（図５参照）。また、絶縁シート５３は、シート本体５３１がプリント基板５１のプリント配線板５１１と上下方向に平行になるようにして、ケース５２の内部に収容される。絶縁シート５３は、プリント基板５１と取付部材４の間に配置される（図１参照）。切起し片５３５は、下向きに切り起されることで、切起し片５３５の先端が取付部材４の凹部４１１に接触して絶縁シート５３が下向きに移動することを規制する。また、絶縁シート５３は、一対の側部５３２がケース５２の前後方向の側壁５２２の内側に接触するようにケース５２の内部に収容されるので、前後方向の移動が規定される。さらに、絶縁シート５３は、一対の側部５３２のそれぞれの左右両端がケース５２の左右方向の側壁５２２の内側に接触するようにケース５２の内部に収容されるので、左右方向の移動が規制される。
【００４１】
なお、ケース５２は、開口部５２３が取付部材４の底面部４１の上面と対向するように、例えばねじなどを用いて取付部材４に取り付けられる。
【００４２】
端子台ブロック６は、図１に示すように、矩形箱形状に形成された端子台６１と、端子台６１を取付部材４に取り付けるための取付金具６２と有する。端子台６１には、天井材に通して室内外に露出する電源線が接続される。電源装置５は、外部からの交流電圧が端子台６１を介して供給される。
【００４３】
カバー７は、光拡散性を有する材料、例えば乳白色のアクリル樹脂、によって上側に開口部を有し、長尺状に形成される。カバー７は、短手方向（前後方向）において、両端側から中央側に向かって下側へ突出量が大きくなるように半円弧状に形成される拡散面７１を有する。カバー７は、図２に示すように、前後方向の両端に、光源ユニット１を器具本体２に取り付けられた状態において、上下方向に器具本体２の凹部２１の開口端縁と先端とが接触する延出部７２がそれぞれ設けられている。また、カバー７の延出部７２のそれぞれの前後方向の内側には、上向きに突出する突壁部７３がカバー７の長手方向（左右方向）に沿ってかつ全長亘って設けられている。突壁部７３のそれぞれの先端は、内向きに突出する突起部７３１を有する。
【００４４】
光源ユニット１の組み立て手順について説明する。なお、以下に説明する組立手順は一例であって、以下の説明以外の手順によって光源ユニット１が組み立てられることは可能である。
【００４５】
最初に作業者は、予めプリント基板５１と絶縁シート５３をケース５２の内部に収容した電源装置５、および端子台ブロック６をそれぞれ取付部材４の上面に取り付ける。さらに、作業者は、電源装置５と、端子台ブロック６とを電源ケーブル８１によって接続する。次に、作業者は、取付部材４の底面部４１に形成された凹部４１１に光源モジュール３を載せる。このとき、作業者は、光源モジュール３を取付部材４に取り付ける。言い換えると、光源モジュール３は、複数のＬＥＤ３２が実装されている面の反対面が取付部材４の凹部４１１に接触するように、取付部材４に取り付けられている。そして、作業者は、かしめ部４３を内側に折り曲げて光源モジュール３を取付部材４に固定する。
【００４６】
さらに、作業者は、光源モジュール３から導出するケーブル８２を取付部材４に形成された孔４４に通した後、一端を電源装置５の第２コネクタ５１４に接続する。最後に、作業者は、カバー７の開口部を上向きにした状態でカバー７を取付部材４に組み付ける。このとき、カバー７の突壁部７３のそれぞれに設けられた突起部７３１が取付部材４の側面部４２に形成された先端部４２１に引っ掛かることで、カバー７が取付部材４に保持される。
【００４７】
照明器具１０の施工手順について説明する。なお、以下の説明する施工手順は一例であって、以下の説明以外の手順で照明器具１０が施工されることは可能である。最初に、作業者は、室内外に露出する電源線を器具本体２に形成された孔２１１ａに通す。そして、作業者は、天井材を通して室内外に露出する吊ボルトを孔２１１ｂに通し、吊ボルトにナットをねじ込むことで、器具本体２を天井材に固定する。
【００４８】
次に、作業者は、予め取付部材４に取り付けられている引掛け金具９１の一端を器具本体２の凹部２１の側面に設けられた孔に挿入する。このとき、引掛け金具９１の先端が凹部２１の側面に引っ掛かることで光源ユニット１が器具本体２に吊り下げられる。作業者は、光源ユニット１が器具本体２に吊り下げられた状態で電源線を端子台６１に接続する。さらに、作業者は、係止ばね９２の両端を器具本体２に形成される端子台６１に接続する。さらに、作業者は、係止ばね９２の両端を器具本体２に形成される係止部などに引掛けて光源ユニット１を器具本体２に取り付ける。このとき、少なくとも電源装置５および端子台ブロック６が器具本体２の凹部２１に収容される。
【００４９】
ところで、図８に示すように、絶縁シート５３は、切欠き５３３が第２コネクタ５１４側に配置されるように、ケース５２の内部に収容される。つまり、絶縁シート５３は、下側からプリント基板５１の第２コネクタ５１４が切欠き５３３から臨むことができるように、ケース５２の内部に収容される。このように、絶縁シート５３がケース５２の内部に正しく配置されることで、第２コネクタ５１４の下側からケーブル８２の一端を接続することができる。また、絶縁シート５３がケース５２の内部に正しく配置されると、絶縁シート５３の開口部５３４から所望の回路部品５１２、例えば可変抵抗など、を臨むことができる。絶縁シート５３がケース５２の内部に正しく配置されることで、作業者は、可変抵抗など調整が必要な回路部品５１２を、開口部５３４を介して容易に回路部品５１２を調整することができる。
【００５０】
また、絶縁シート５３がケース５２の内部に正しく配置されると、突出部５３６は、プリント基板５１の回路部品５１２のいずれにも接触しないように形成される。絶縁シート５３がケース５２の内部に正しく配置されることで、絶縁シート５３は、シート本体５３１がプリント配線板５１１と上下方向に平行になるようにケース５２の内部に収容される。
【００５１】
絶縁シート５３は、ケース５２の内部に正しい向きに配置される必要がある。しかしながら、作業者が絶縁シート５３をケース５２の内部に収容する際、絶縁シート５３の切欠き５３３が第１コネクタ５１３側に位置するように、１８０度回転した状態（以後、逆向きとする）でケース５２の内部に収容してしまう可能性がある。絶縁シート５３は、図８に示すように、シート本体５３１の中心を中心点として、点対称に形成されていない。したがって、絶縁シート５３が逆向きに配置されると、切欠き５３３および開口部５３４が、絶縁シート５３に覆われる必要のある場所に位置してしまう可能性がある。つまり、絶縁シート５３が逆向きに配置されると、本来、絶縁シート５３によって覆われる場所が露出してしまい、プリント基板５１の絶縁性が低下してしまうおそれがある。
【００５２】
そこで、突出部５３６は、図１０に示すように、絶縁シート５３が逆向きにケース５２に配置されると、プリント基板５１に実装される回路部品５１２の少なくとも１つの回路部品５１２に接触するような位置に形成されている。つまり、絶縁シート５３が逆向きに配置された場合、突出部５３６の先端が回路部品５１２に接触する。そして、絶縁シート５３のシート本体５３１は、プリント配線板５１１に対して上下方向に斜めになるように配置されてしまう。したがって、ケース５２は、絶縁シート５３の少なくとも一部を内部に収容できなくなってしまう。
【００５３】
上述のように、絶縁シート５３が逆向きにケース５２に配置された場合、絶縁シート５３の少なくとも一部がケース５２の内部に収容されなくなってしまうので、作業者は、絶縁シート５３の入れ間違いに容易に気づくことができる。
【００５４】
より詳細には、作業者は、絶縁シート５３をケース５２に取り付ける際、絶縁シート５３を逆向きに取り付けても、突出部５３６が回路部品５１２に接触することで、容易に入れ間違いに気づくことができる。また、作業者は、絶縁シート５３を逆向きにケース５２に取り付けた状態で、電源装置５を取付部材４に取り付けようとした場合、絶縁シート５３がケース５２の内部に収容されていないので、取付部材４に取り付けることができず、容易に入れ間違いに気づくことができる。
【００５５】
作業者が絶縁シート５３の入れ間違いを容易に気づくことができると、絶縁シート５３が逆向きに配置された状態で光源ユニット１を組み立てる可能性が軽減する。絶縁シート５３が正しくケース５２の内部に収容されることで、プリント基板５１の絶縁性を確保することができる。
【００５６】
なお、本実施形態の突出部５３６は、エンボス加工によって先端が平面の有底の円筒形状に形成されているが、これに限定される必要はない。突出部５３６は、図１１Ａ、図１１Ｂ、図１１Ｃに示すように、先端が平面の有底の四角筒形状に形成されてもよい。また、突出部５３６は、中実（ソリッド）の柱体形状に形成されてもよい。さらに、突出部５３６の先端面は、エンボス加工によって曲面に形成されてもよい。また、突出部５３６は、中空または中実であって、先端が基端よりも細く形成される錐台形状でもよい。さらに、突出部５３６は、中空または中実であって、先端が基端よりも細く形成される錐体形状でもよい。
【００５７】
また、絶縁シート５３のシート本体５３１がプリント配線板５１１と上下方向に平行になるようにケース５２の内部に収容されている場合、突出部５３６突出部５３６が回路部品５１２に接触するように形成されてもよい。さらに、電源装置５は、プリント基板５１とケース５２の底壁５２１との間に絶縁シートを有してもよい。
【００５８】
本実施形態の電源装置５の変形例について図１２〜図１４を参照して説明する。変形例の電源装置５は、突出部５３６ａの形状が上述の突出部５３６と異なる。変形例の突出部５３６ａは、図１２Ａ、図１２Ｂ、および図１２Ｃに示すように、絶縁シート５３のシート本体５３１の一端（右端側）が上向きに折り曲げられて形成されている。言い換えると、突出部５３６ａは、切欠き５３３の後側の右端が上方向に切り起されて形成されている。絶縁シート５３が正しい向きにケース５２の内部に収容されている場合、図１３に示すように、突出部５３６ａは、プリント基板５１の回路部品５１２のいずれにも接触することがないように形成される。つまり、絶縁シート５３が正しい向きにケース５２の内部に収容されると、絶縁シート５３は、シート本体５３１がプリント配線板５１１と上下方向に平行になるように、ケース５２の内部に収容されている。
【００５９】
ここで、絶縁シート５３が逆向きにケース５２に配置された場合、図１４に示すように、突出部５３６ａは、回路部品５１２、例えば、第１コネクタ５１３に接触するように形成される。つまり、絶縁シート５３が逆向きにケース５２に配置された場合、突出部５３６ａが第１コネクタ５１３に接触することで、シート本体５３１は、プリント配線板５１１に対して斜めになるように配置される。したがって、絶縁シート５３の少なくとも一部がケース５２の内部に収容されなくなる。
【００６０】
変形例の絶縁シート５３が用いられることで、作業者が絶縁シート５３を逆向きにケース５２に配置しても、絶縁シート５３の入れ間違いに容易に気づくことができる。作業者が絶縁シート５３の入れ間違いに容易に気づくことができると、絶縁シート５３が逆向きに配置された状態で光源ユニット１を組み立てる可能性が軽減する。絶縁シート５３が正しくケース５２の内部に収容されることで、プリント基板５１の絶縁性を確保することができる。
【００６１】
本実施形態の電源装置５は、ケース５２と、プリント基板５１と、絶縁シート５３とを備える。ケース５２は、開口部５２３を有する箱形状に形成される。プリント基板５１は、少なくとも一面（部品面）５１１ａに複数の部品（回路部品）５１２が実装され、一面５１１ａがケース５２の開口部５２３を臨むようにケース５２の内部に収容される。絶縁シート５３は、シート本体５３１と、シート本体５３１の一面（上面）から突出する突出部５３６，５３６ａとを有する。突出部５３６，５３６ａの先端がケース５２に収容されたプリント基板５１の一面５１１ａに対向するように配置される。突出部５３６，５３６ａは、絶縁シート５３がプリント基板５１に対して所望の位置に配置された場合、ケース５２に収容されたプリント基板５１の複数の部品５１２の何れにも接触しないように形成され、絶縁シート５３の全体がケース５２の内部に収容される。突出部５３６，５３６ａは、絶縁シート５３がプリント基板５１に対して所望の位置に配置されていない場合、複数の部品５１２の何れかに接触するように形成され、絶縁シート５３の一部がケース５２の内部に収容されている。
【００６２】
本実施形態の電源装置５が上述のように構成されるので、絶縁シート５３が間違った向き（逆向き）で配置されていることを容易に発見されることができ、絶縁シート５３が間違った向きでケース５２に収容されることを抑制することができる。
【００６３】
本実施形態の電源装置５おいて突出部５３６は、中空かつ先端面が曲面に形成されていることが好ましい。
【００６４】
本実施形態の電源装置５が上述のように構成されると、突出部５３６がエンボス加工によって簡易に形成されることができる。さらに、突出部５３６の先端面がエンボス加工によって曲面に形成されると、絶縁シート５３にかかる引っ張り方向の力が軽減される。
【００６５】
本実施形態の電源装置５おいて突出部５３６の外観は、先端に近づくにつれて細くなる形状に形成されていることが好ましい。
【００６６】
本実施形態の電源装置５が上述のように構成されると、絶縁シート５３がケース５２に正しく配置される場合、突出部５３６の外観が柱体形状の場合と比較して、プリント配線板５１１上のより狭いスペースに突出部５３６が配置可能となる。したがって、プリント配線板５１１を小型化することができる。
【００６７】
本実施形態の光源ユニット１は、電源装置５と、電源装置５によって電力が供給される光源３２とを備える。
【００６８】
本実施形態の光源ユニット１が上述のように構成されるので、絶縁シート５３が間違った向き（逆向き）で配置されていることを容易に発見することができ、絶縁シート５３が間違った向きでケース５２に収容されることを抑制することができる。
【００６９】
本実施形態の照明器具１０は、光源ユニット１と、光源ユニット１を収容する器具本体２とを備える。
【００７０】
本実施形態の照明器具１０が上述のように構成されるので、絶縁シート５３が間違った向き（逆向き）で配置されていることを容易に発見することができ、絶縁シート５３が間違った向きでケース５２に収容されることを抑制することができる。
【符号の説明】
【００７１】
１  光源ユニット
１０  照明器具
２  器具本体
３２  光源
５  電源装置
５１  プリント基板
５１１ａ  部品面（一面）
５１２  回路部品（部品）
５２  ケース
５２３  開口部
５３  絶縁シート
５３１  シート本体
５３６，５３６ａ  突出部
【図１】
0006745475.tif 000002
【図２】
0006745475.tif 000003
【図３】
0006745475.tif 000004
【図４】
0006745475.tif 000005
【図５】
0006745475.tif 000006
【図６】
0006745475.tif 000007
【図７】
0006745475.tif 000008
【図８】
0006745475.tif 000009
【図９】
0006745475.tif 000010
【図１０】
0006745475.tif 000011
【図１１】
0006745475.tif 000012
【図１２】
0006745475.tif 000013
【図１３】
0006745475.tif 000014
【図１４】
0006745475.tif 000015